(57)【要約】      （修正有）【課題】様々な形状の物品を、梱包材を用いなくても物品収容部内で安定的に保持できる梱包箱を提供する。【解決手段】梱包箱が、側面部１ｃと底部１ｂと上蓋部１ａを有する箱本体１と、箱本体の内部の底部１ｂの上に配置される内底板３と、底部１ｂと上蓋部１ａの間を延びるように箱本体の内部に配置されて箱本体の内部を複数の物品収容部６に区画する複数の中仕切り板２Ａ，２Ｂとを含む。中仕切り板２Ｂの上蓋部１ａ側に、物品収容部に収容される物品の一部に下方から当接して係止するためのハンガー溝２Ｂ２が形成されている。内底板３には、中仕切り板２Ａと係合するとともに、物品収容部に収容される物品の他の一部を係止するための複数の固定溝３ａが形成されている。【選択図】図３
0003206163.tif 000002
【実用新案登録請求の範囲】
【請求項１】
側面部と底部と上蓋部を有する箱本体と、前記箱本体の内部の底部の上に配置される内底板と、前記底部と前記上蓋部の間を延びるように前記箱本体の内部に配置されて前記箱本体の内部を複数の物品収容部に区画する複数の中仕切り板とを含み、
前記中仕切り板の前記上蓋部側に、前記物品収容部に収容される物品の一部に下方から当接して係止するためのハンガー溝が形成されており、
前記内底板には、前記中仕切り板と係合するとともに、前記物品収容部に収容される物品の他の一部を係止するための複数の固定溝が形成されている、梱包箱。
【請求項２】
前記中仕切り板の前記底部側に、前記内底板の前記固定溝に係合するガイド溝が形成されている、請求項１に記載の梱包箱。
【請求項３】
前記複数の中仕切り板は、複数の一方の中仕切り板と、前記一方の中仕切り板と直交して配置される複数の他方の中仕切り板とを含み、
複数の前記一方の中仕切り板は、互いに平行に並べて配置され、
前記一方の中仕切り板の一側部側と他側部側とにそれぞれ前記他方の中仕切り板が配置され、複数の前記一方の中仕切り板の一側部同士が、前記他方の中仕切り板によって連結され、複数の前記一方の中仕切り板の他側部同士が、もう１つの前記他方の中仕切り板によって連結されている、請求項１に記載の梱包箱。
【請求項４】
前記内底板の複数の前記固定溝は、前記一方の中仕切り板の配列方向に並んで形成されている、請求項３に記載の梱包箱。
【請求項５】
前記ハンガー溝は前記他方の中仕切り板の前記上蓋部側に設けられており、前記一方の中仕切り板の前記底部側には、前記内底板の前記固定溝に係合するガイド溝が形成されている、請求項３または４に記載の梱包箱。
【考案の詳細な説明】
【技術分野】
【０００１】
本考案は、物品を収容する梱包箱に関する。
【背景技術】
【０００２】
従来、様々な物品を収容するために、段ボール紙等からなる梱包箱が広く用いられている。１つの梱包箱に多数の小型の物品を収容するために、特許文献１に示されているように、梱包箱の内部に中仕切り板を配置して複数の物品収容部に区画して、各物品収容部内にそれぞれ物品を収容可能な構成の梱包箱がある。
【先行技術文献】
【特許文献】
【０００３】
【特許文献１】特開平７−２５７６８０号公報
【考案の概要】
【考案が解決しようとする課題】
【０００４】
特許文献１に例示されている物品は円柱状の電子部品であって、各物品収容部に安定して載置される。しかし、収容すべき物品の形状によっては、物品収容部内に安定して保持できない可能性がある。特に、物品が安定的に自立できない形状、例えば下部よりも上部が大きく広がった形状や、上下端部よりも中央部が拡大した形状などである場合には、物品収容部内で物品が不安定に立った状態になる。そのような状態で梱包箱の輸送などにより振動や落下などの衝撃を受けると、物品収容部内で不安定な物品が動いて、他の物品や梱包箱の側壁部や中仕切り壁にぶつかって損傷するおそれがある。また、物品に当接する中仕切り板が、物品から加えられる力（重力等）に耐えられずに倒れたり損傷したりする可能性がある。また、物品の表面に塗装が施されている場合には、側壁部や中仕切り板との当接が原因で、塗装された表面への移行（塗膜に含まれる顔料が物品の表面に移り出てくる現象）などが生じるおそれがある。移行が生じると、物品の塗装表面に痕跡が残るだけではなく、表面を布などで擦った時に顔料が布に付着する。
【０００５】
通常は、梱包箱内に発泡スチロールや紙などからなる梱包材を挿入して、物品収容部内の物品をできるだけ安定して保持することが考えられる。しかし、その場合には、梱包材が必要になって高コストになるとともに、物品を取り出した後に梱包材が廃棄物になるという問題がある。
【０００６】
そこで本考案は、上記した問題点を解決して、様々な形状の物品を、梱包材を用いなくても物品収容部内で安定的に保持できる梱包箱を提供することを目的とする。
【課題を解決するための手段】
【０００７】
梱包箱が、側面部と底部と上蓋部を有する箱本体と、箱本体の内部の底部の上に配置される内底板と、底部と上蓋部の間を延びるように箱本体の内部に配置されて箱本体の内部を複数の物品収容部に区画する複数の中仕切り板とを含む。中仕切り板の上蓋部側に、物品収容部に収容される物品の一部に下方から当接して係止するためのハンガー溝が形成されている。内底板には、中仕切り板と係合するとともに、物品収容部に収容される物品の他の一部を係止するための複数の固定溝が形成されている。
【考案の効果】
【０００８】
本考案によれば、収容する物品の一部を中仕切り板のハンガー溝に係止させ、他の一部を内底板の固定溝に係止させることによって、物品を安定して保持することができる。それにより、梱包箱の輸送時等の振動や落下などの衝撃による物品の損傷を防止することができる。また、収容している物品の移動を防ぐことにより、物品が当接して中仕切り板を損傷させることも防止できる。
【図面の簡単な説明】
【０００９】
【図１】本考案の一実施形態の梱包箱を示す分解斜視図である。
【図２】図１に示す梱包箱の複数の中仕切り板と内底板とが組み立てられた状態を示す斜視図である。
【図３】図１に示す梱包箱の内部を示す斜視図である。
【図４】図１に示す梱包箱の物品収容部内に物品が収容された状態を示す断面図と、物品の一例を示す正面図である。
【考案を実施するための形態】
【００１０】
以下、本考案の具体的な実施形態を例示して、その構成について詳細に説明するとともに、本考案の利点及び効果を説明する。ただし、本考案は、以下に記載する実施形態に限定されるわけではなく、その他の構成を採用することもできる。
【００１１】
図１に示すように、本考案の梱包箱は、箱本体１と、中仕切り板２Ａ，２Ｂと、内底板３と、天板４とを含む。本実施形態の箱本体１、中仕切り板２Ａ，２Ｂ、内底板３、天板４はそれぞれ段ボール紙製であるが、これに限定されず、合成樹脂等から形成されてもよい。梱包箱は、内底板３が鉛直方向下方に位置し、天板４が鉛直方向上方に位置するように配置されて使用される。
【００１２】
箱本体１は、段ボール紙を折って形成された中空の直方体であり、開閉可能な上蓋部１ａと、底部１ｂと、４つの側面をなす側面部１ｃとが連結された構成である。箱本体１の内部（中空部）には複数の中仕切り板２Ａ，２Ｂが配置されている。各中仕切り板２Ａ，２Ｂは、箱本体１の内部において、上蓋部１ａと底部１ｂとの間を延びる板部材である（ただし、必ずしも上蓋部１ａや底部１ｂに当接していなくても構わない）。本実施形態では、互いに直交する２種類の中仕切り板２Ａ，２Ｂが組み合わされて、格子体２が構成されている。一例としては、一方の中仕切り板２Ａに上部から切り込み２Ａ１を入れ、他方の中仕切り板２Ｂに下部から切り込み２Ｂ１を入れておき、両方の切り込み２Ａ１，２Ｂ１を嵌め合わせることにより、両中仕切り板２Ａ，２Ｂを互いに接合させる。一方の中仕切り板２Ａの一側部側と他側部側にそれぞれ切り込み２Ａ１を形成しておき、両側部側にそれぞれ１枚ずつ他方の中仕切り板２Ｂを配置する。そして、一側部側に配置された他方の中仕切り板２Ｂに多数形成された切り込み２Ｂ１に、複数の一方の中仕切り板２Ａの切り込み２Ａ１をそれぞれ嵌め合わせ、同様に、他側部側に配置されたもう１つの他方の中仕切り板２Ｂに多数形成された切り込み２Ｂ１に、複数の一方の中仕切り板２Ａの切り込み２Ａ１をそれぞれ嵌め合わせることによって、格子体２を形成する。この格子体２において、一側部側に配置された他方の中仕切り板２Ｂと、他側部側に配置された他方の中仕切り板２Ｂとの間であって、隣り合う一方の中仕切り板２Ａに挟まれている空間が、後述する物品５（図４参照）を収容する物品収容部６になる。
【００１３】
他方の中仕切り板２Ｂの上部（上蓋部１ａ側の部分）には、物品収容部６に収容される物品５の一部に下方から当接して係止するためのハンガー溝２Ｂ２が形成されている。一方の中仕切り板２Ａの下部（底部１ｂ側の部分）には、内底板３に係合するガイド溝２Ａ２が形成されている。ただし、ハンガー溝が中仕切り板２Ａ，２Ｂのいずれに形成されるかは、物品５の形状に応じて決定され、ガイド溝が中仕切り板２Ａ，２Ｂのいずれに形成されるかは、内底板３の形態に応じて決定される。
【００１４】
箱本体１の内部の底部１ｂの上に、底部１ｂと実質的に平行に、内底板３が配置されている。本実施形態の内底板３の上面には、複数の一方の中仕切り板２Ａの配列方向に沿って並ぶ複数の固定溝３ａが形成されている。固定溝３ａは、物品収容部６に収容される物品５の一部を係止するとともに、一方の中仕切り板２Ａのガイド溝２Ａ２にも係合する。
【００１５】
従って、図２に示すように、各ガイド溝２Ａ２が、対応する固定溝３ａにそれぞれ係合することによって、中仕切り板２Ａ，２Ｂによって構成された格子体２が内底板３に固定されている。このように互いに固定された内底板３および格子体２（中仕切り板２Ａ，２Ｂ）が、図３に示すように箱本体１の内部に挿入されて、各中仕切り板２Ａ，２Ｂはそれぞれの所定の位置に保持される。内底板３によって梱包箱の強度が向上するとともに、中仕切り板２Ａ，２Ｂの位置精度を高めて位置ずれを防止する。その結果、箱本体１の内部に、所定の大きさの物品収容部６が所定の位置に精度良く設けられる。
【００１６】
このように組み立てられた中仕切り板２Ａ，２Ｂと内底板３とが箱本体１の内部に配置された状態で、図４（ａ）に示すように、各物品収容部６に物品５が収容される。このとき、物品５の一部（例えば上部に形成された凸状部５ａ）が中仕切り板２Ｂのハンガー溝２Ｂ２に係止され、かつ、物品５の他の一部（例えば下部に形成された凸状部５ｂ）が内底板３の固定溝３ａに係止される。そして、複数の中仕切り板２Ａ，２Ｂの上方に、図１に示す天板４が配置され、上蓋部１ａが閉じられる。最後にテープ等の固着材で上蓋部１ａ同士が固着されて梱包箱が完成する（梱包作業が完了する）。
【００１７】
この梱包箱によると、物品収容部６に収容された物品５の上部（凸状部５ａ）が中仕切り板２Ｂのハンガー溝２Ｂ２に係止され、物品５の下部の一部（凸状部５ｂ）が内底板３の固定溝３ａに係止されるため、緩衝材を用いなくても物品５を移動不能に固定することができる。仮に梱包箱の輸送時等に振動や落下などの衝撃を受けても、物品５が動いて他の物品５や箱本体１または中仕切り板２Ａ，２Ｂの一部分に意図せずに当接して物品５や中仕切り板２Ａ，２Ｂ等が損傷することを防止できる。また、ハンガー溝２Ｂ２が物品の凸状部５ａを、固定溝３ａが他の凸状部５ｂを、それぞれ多少の遊びを持ちつつ離脱不能に係止していることによって、梱包箱の輸送時等の振動や衝撃を吸収する構造になっている。従って、物品５の安全な搬送が実現し、物品の塗装面の移行等を防げる。
【００１８】
また、内底板３の固定溝３ａと中仕切り板２Ａのガイド溝２Ａ２が係合することにより、複数の物品収容部６が精度良く形成でき、物品５の安定した保持が容易にでき、梱包強度が向上する。
【００１９】
なお、物品５の一例は、図４（ｂ）に示す自動車用センターコンソールである。一般的なセンターコンソールは、上部の左右に張り出した拡張部（凸状部）５ａと、下部に位置する下方突出部（凸状部）５ｂが設けられており、下部よりも上部が大きく広がっていて安定的に自立できない形状である。このようなセンターコンソールであっても、本考案の梱包箱によると、拡張部５ａがハンガー溝２Ｂ２に係止されるととともに、下方突出部５ｂが固定溝３ａ内に挿入されることにより、物品収容部６内で移動しないように安定して保持される。ただし、もちろん本考案の梱包箱に収容される物品５はセンターコンソールに限定されず、本考案の梱包箱はあらゆる物品の梱包に利用でき、特に、上部に突出部を有する物品の梱包に適している。
【００２０】
以上、本考案の好適な実施形態を前述の通り開示したが、これらは決して本考案を限定するものではない。実用新案登録請求の範囲に記載された範囲内で様々な変更及び改変を行うことができ、それらは全て本考案の保護範囲内に属するものである。例えば、本考案では天板４を省略することができる。また、一方の中仕切り板２Ａのガイド溝２Ａ２と内底板３の固定溝３ａとが密接に係合されれば、他方の中仕切り板２Ｂを省略しても、複数の物品収容部６を位置精度良く形成することができる。その場合には、一方の中仕切り板２Ａの上部を折り曲げるなどして変形させて、その変形部分に、物品５の上部の突出部５ａを係止可能なハンガー溝を形成すればよい。
【符号の説明】
【００２１】
１      箱本体
１ａ    上蓋部
１ｂ    底部
１ｃ    側面部
２      格子体
２Ａ，２Ｂ      中仕切り板
２Ａ１，２Ｂ１    切り込み
２Ａ２   ガイド溝
２Ｂ２   ハンガー溝
３      内底板
４      天板
５      物品
５ａ    凸状部（拡張部）
５ｂ    凸状部（下方突出部）
６      物品収容部
【図１】
0003206163.tif 000003
【図２】
0003206163.tif 000004
【図３】
0003206163.tif 000005
【図４】
0003206163.tif 000006